(57)【要約】【課題】オーディオノイズを回避することが可能な電源供給方法及び電源供給装置を提供する。【解決手段】オーディオノイズを回避するための電源供給装置は、電圧入力端と、前パワースイッチ回路と、電圧出力端と、パルス幅変調信号生成回路と、バースト周波数検出回路と、を含む。パルス幅変調信号生成回路は、オーディオノイズを回避するための電源供給装置がバーストモードに入るように、パルス幅変調信号によりパワースイッチ回路を制御し、バースト周波数検出回路は、パワースイッチ回路のバースト周波数を検出し、パワースイッチ回路のバースト周波数がオーディオ周波数範囲内にある場合、バースト周波数検出回路は、バースト周波数がオーディオ周波数範囲内にあることをパルス幅変調信号生成回路に通知し、オーディオノイズを回避するための電源供給装置は、オーディオノイズを回避するように、バーストモードから離脱する。【選択図】図１
2017010242.tif 000002
【特許請求の範囲】
【請求項１】
電源供給装置がバーストモードであり、且つ、当該電源供給装置のバースト周波数がオーディオ周波数範囲内にある場合、オーディオノイズを回避するために、前記電源供給装置を前記バーストモードから離脱させるステップを含むことを特徴とするオーディオノイズを回避するための電源供給方法。
【請求項２】
前記電源供給装置は、前記バーストモードから離脱した後、通常動作モードに入るように制御するステップをさらに含むことを特徴とする請求項１に記載のオーディオノイズを回避するための電源供給方法。
【請求項３】
前記オーディオ周波数範囲は、２０Ｈｚから２０ｋＨｚの範囲内であることを特徴とする請求項１に記載のオーディオノイズを回避するための電源供給方法。
【請求項４】
電源供給装置がバーストモードに入るように制御するステップと、
前記電源供給装置が前記バーストモードに制御されると、前記電源供給装置のバースト周波数を検出するステップと、
前記電源供給装置の前記バースト周波数がオーディオ周波数範囲内にある場合、オーディオノイズを回避するように、前記電源供給装置を前記バーストモードから離脱させるステップと、を含むことを特徴とするオーディオノイズを回避するための電源供給方法。
【請求項５】
前記電源供給装置は、前記バーストモードから離脱した後、通常動作モードに入るように制御するステップをさらに含むことを特徴とする請求項４に記載のオーディオノイズを回避するための電源供給方法。
【請求項６】
前記オーディオ周波数範囲は、２０Ｈｚから２０ｋＨｚの範囲内であることを特徴とする請求項４に記載のオーディオノイズを回避するための電源供給方法。
【請求項７】
オーディオノイズを回避するための電源供給装置であって、
電圧入力端と、
前記電圧入力端に電気的に接続されるパワースイッチ回路と、
前記パワースイッチ回路に電気的に接続される電圧出力端と、
前記パワースイッチ回路に電気的に接続されるパルス幅変調信号生成回路と、
前記パワースイッチ回路及び前記パルス幅変調信号生成回路に電気的に接続されるバースト周波数検出回路と、を含み、
前記パルス幅変調信号生成回路は、前記オーディオノイズを回避するための電源供給装置がバーストモードに入るように、パルス幅変調信号により前記パワースイッチ回路を制御し、
前記オーディオノイズを回避するための電源供給装置が前記バーストモードに入った後、前記バースト周波数検出回路は、前記パワースイッチ回路のバースト周波数を検出し、
前記パワースイッチ回路のバースト周波数がオーディオ周波数範囲内にある場合、前記バースト周波数検出回路は、前記バースト周波数が前記オーディオ周波数範囲内にあることを前記パルス幅変調信号生成回路に通知し、
前記バースト周波数検出回路は前記バースト周波数が前記オーディオ周波数範囲内にあることを前記パルス幅変調信号生成回路に通知した後、前記パルス幅変調信号生成回路は、前記パルス幅変調信号によって前記パワースイッチ回路を制御することにより、オーディオノイズを回避するように、前記オーディオノイズを回避するための電源供給装置を前記バーストモードから離脱させることを特徴とするオーディオノイズを回避するための電源供給装置。
【請求項８】
入力電圧は、前記電圧入力端を通じて前記パワースイッチ回路に伝送され、
前記パルス幅変調信号生成回路が前記パルス幅変調信号を前記パワースイッチ回路に伝送することにより、前記パワースイッチ回路は、前記パルス幅変調信号により前記入力電圧を出力電圧に変換するように制御され、
前記パワースイッチ回路は、前記電圧出力端を通じて前記出力電圧を出力することを特徴とする請求項７に記載のオーディオノイズを回避するための電源供給装置。
【請求項９】
前記オーディオノイズを回避するための電源供給装置が前記バーストモードから離脱された後、前記パルス幅変調信号生成回路は、前記オーディオノイズを回避するための電源供給装置が通常動作モードに入るように、前記パルス幅変調信号により前記パワースイッチ回路を制御することを特徴とする請求項７に記載のオーディオノイズを回避するための電源供給装置。
【請求項１０】
前記オーディオ周波数範囲は、２０Ｈｚから２０ｋＨｚの範囲内であることを特徴とする請求項７に記載のオーディオノイズを回避するための電源供給装置。
【発明の詳細な説明】
【技術分野】
【０００１】
本発明は、電源供給方法及び電源供給装置に関し、特に、オーディオノイズを回避するための電源供給方法及び電源供給装置に関する。
【背景技術】
【０００２】
電源供給装置がスタンバイモード又は軽負荷モードである場合、電源供給装置は、省エネルギーのために、バーストモード（ｂｕｒｓｔ  ｍｏｄｅ）に入るようにしている。
【発明の概要】
【発明が解決しようとする課題】
【０００３】
ところで、人間は、２０Ｈｚから２０ｋＨｚまでのオーディオ周波数（ａｕｄｉｏ  ｆｒｅｑｕｅｎｃｙ）を可聴することができる。
電源供給装置がバーストモードであるとき、もし電源供給装置のバースト周波数（ｂｕｒｓｔ  ｆｒｅｑｕｅｎｃｙ）がオーディオ周波数の範囲内にあれば、非常に迷惑である。
【０００４】
本発明の目的は、上述した従来技術の欠点を解消し、オーディオノイズを回避するための電源供給方法を提供することにある。
【０００５】
本発明の他の目的は、上述した従来技術の欠点を解消し、オーディオノイズを回避するための電源供給方法を提供することにある。
【０００６】
本発明の別の目的は、上述した従来技術の欠点を解消し、オーディオノイズを回避するための電源供給装置を提供することにある。
【課題を解決するための手段】
【０００７】
上記目的を達成するために、本発明のオーディオノイズを回避するための電源供給方法は、電源供給装置がバーストモードであり、且つ、当該電源供給装置のバースト周波数がオーディオ周波数範囲内にある場合、オーディオノイズを回避するために、前記電源供給装置を前記バーストモードから離脱させるステップを含む。
【０００８】
上記他の目的を達成するために、本発明のオーディオノイズを回避するための電源供給方法は、電源供給装置がバーストモードに入るように制御するステップと、前記電源供給装置が前記バーストモードに制御されると、前記電源供給装置のバースト周波数を検出するステップと、前記電源供給装置の前記バースト周波数がオーディオ周波数範囲内にある場合、オーディオノイズを回避するように、前記電源供給装置を前記バーストモードから離脱させるステップと、を含む。
【０００９】
上記別の目的を達成するために、本発明のオーディオノイズを回避するための電源供給装置は、電圧入力端と、前記電圧入力端に電気的に接続されるパワースイッチ回路と、前記パワースイッチ回路に電気的に接続される電圧出力端と、前記パワースイッチ回路に電気的に接続されるパルス幅変調信号生成回路と、前記パワースイッチ回路及び前記パルス幅変調信号生成回路に電気的に接続されるバースト周波数検出回路と、を含む。前記パルス幅変調信号生成回路は、前記オーディオノイズを回避するための電源供給装置がバーストモードに入るように、パルス幅変調信号により前記パワースイッチ回路を制御し、前記オーディオノイズを回避するための電源供給装置が前記バーストモードに入った後、前記バースト周波数検出回路は、前記パワースイッチ回路のバースト周波数を検出し、前記パワースイッチ回路のバースト周波数がオーディオ周波数範囲内にある場合、前記バースト周波数検出回路は、前記バースト周波数が前記オーディオ周波数範囲内にあることを前記パルス幅変調信号生成回路に通知し、前記バースト周波数検出回路は前記バースト周波数が前記オーディオ周波数範囲内にあることを前記パルス幅変調信号生成回路に通知した後、前記パルス幅変調信号生成回路は、前記パルス幅変調信号によって前記パワースイッチ回路を制御することにより、オーディオノイズを回避するように、前記オーディオノイズを回避するための電源供給装置を前記バーストモードから離脱させる。
【発明の効果】
【００１０】
本発明によれば、電源供給装置がバーストモードであり、且つ、電源供給装置のバースト周波数がオーディオ周波数範囲内にある場合、電源供給装置をバーストモードから離脱させることにより、オーディオノイズを回避することができる。
【図面の簡単な説明】
【００１１】
【図１】本発明のオーディオノイズを回避するための電源供給方法の第１の実施例を示すフローチャート図である。
【図２】本発明のオーディオノイズを回避するための電源供給方法の第２の実施例を示すフローチャート図である。
【図３】本発明のオーディオノイズを回避するための電源供給装置のブロック図である。
【図４】パルス幅変調信号のいくつかの実施例を示す波形図である。
【発明を実施するための形態】
【００１２】
本発明の詳細な説明及び技術内容について、図面を参照して以下に説明するが、図面は、ただ参考及び説明に用いるのみであり、本発明に制限を加えるものではない。
【００１３】
図１は、本発明のオーディオノイズを回避するための電源供給方法の第１の実施例を示すフローチャート図である。本発明のオーディオノイズを回避するための電源供給方法は下記のようなステップを含む。
【００１４】
ステップＳ０２において、電源供給装置がバーストモード（ｂｕｒｓｔ  ｍｏｄｅ）で動作している場合において、電源供給装置のバースト周波数（ｂｕｒｓｔ  ｆｒｅｑｕｅｎｃｙ）がオーディオ周波数範囲内にある場合、オーディオノイズを回避するために、電源供給装置をバーストモードから離脱させる。
【００１５】
ステップＳ０４において、電源供給装置は、バーストモードから離脱した後、後述する通常動作モードに入るように制御する。ここで、オーディオ周波数範囲は、２０Ｈｚから２０ｋＨｚの範囲内である。
【００１６】
本発明によれば、電源供給装置がバーストモードであり、且つ、電源供給装置のバースト周波数がオーディオ周波数範囲内にある場合、電源供給装置をバーストモードから離脱させることにより、オーディオノイズを回避することができる。
【００１７】
図２は、本発明のオーディオノイズを回避するための電源供給方法の第２の実施例を示すフローチャート図である。本発明のオーディオノイズを回避するための電源供給方法は下記のようなステップを含む。
【００１８】
ステップＴ０２において、電源供給装置がバーストモード（ｂｕｒｓｔ  ｍｏｄｅ）に入るように制御する。
【００１９】
ステップＴ０４において、電源供給装置がバーストモードに制御されると、電源供給装置のバースト周波数（ｂｕｒｓｔ  ｆｒｅｑｕｅｎｃｙ）を検出する。
【００２０】
ステップＴ０６において、電源供給装置のバースト周波数がオーディオ周波数範囲内にある場合、オーディオノイズを回避するように、電源供給装置をバーストモードから離脱（解除）させる。
【００２１】
ステップＴ０８において、電源供給装置は、バーストモードから離脱した後、後述する通常動作モードに入るように制御する。ここで、オーディオ周波数範囲は、２０Ｈｚから２０ｋＨｚの範囲内である。
【００２２】
本発明によれば、電源供給装置がバーストモードであり、且つ、電源供給装置のバースト周波数がオーディオ周波数範囲内にある場合、電源供給装置をバーストモードから離脱させることにより、オーディオノイズを回避することができる。
【００２３】
図３は、本発明のオーディオノイズを回避するための電源供給装置のブロック図である。本発明のオーディオノイズを回避するための電源供給装置１０は、電圧入力端１０２と、パワースイッチ回路１０４と、電圧出力端１０６と、パルス幅変調信号生成回路１０８と、バースト周波数検出回路１１０と、を含む。
【００２４】
パワースイッチ回路１０４は、電圧入力端１０２に電気的に接続される。電圧出力端１０６は、パワースイッチ回路１０４に電気的に接続される。パルス幅変調信号生成回路１０８は、パワースイッチ回路１０４に電気的に接続される。バースト周波数検出回路１１０は、パワースイッチ回路１０４及びパルス幅変調信号生成回路１０８に電気的に接続される。
【００２５】
パルス幅変調信号生成回路１０８は、オーディオノイズを回避するための電源供給装置１０がバーストモード（ｂｕｒｓｔ  ｍｏｄｅ）に入るように、パルス幅変調信号１１４によりパワースイッチ回路１０４を制御する。オーディオノイズを回避するための電源供給装置１０がバーストモードに入った後、バースト周波数検出回路１１０は、パワースイッチ回路１０４のバースト周波数（ｂｕｒｓｔ  ｆｒｅｑｕｅｎｃｙ）を検出する。仮に、パワースイッチ回路１０４のバースト周波数がオーディオ周波数範囲内にある場合、バースト周波数検出回路１１０は、バースト周波数がオーディオ周波数範囲内にあることをパルス幅変調信号生成回路１０８に通知する。バースト周波数検出回路１１０はバースト周波数がオーディオ周波数範囲内にあることをパルス幅変調信号生成回路１０８に通知した後、オーディオノイズを回避するように、パルス幅変調信号生成回路１０８は、パルス幅変調信号１１４によってパワースイッチ回路１０４を制御することにより、オーディオノイズを回避するための電源供給装置１０をバーストモードから離脱（解除）させる。
【００２６】
入力電圧１１２が電圧入力端１０２を通じてパワースイッチ回路１０４に伝送されると、パルス幅変調信号生成回路１０８は、パルス幅変調信号１１４をパワースイッチ回路１０４に伝送する。これにより、パワースイッチ回路１０４は、パルス幅変調信号１１４により入力電圧１１２を出力電圧１１６に変換するように制御されるとともに、パワースイッチ回路１０４は、電圧出力端１０６を通じて出力電圧１１６を出力するようになる。
【００２７】
オーディオノイズを回避するための電源供給装置１０がバーストモードから離脱（解除）された後、パルス幅変調信号生成回路１０８は、オーディオノイズを回避するための電源供給装置１０が通常動作モードに入るように、パルス幅変調信号１１４によりパワースイッチ回路１０４を制御する。ここで、オーディオ周波数範囲は、２０Ｈｚから２０ｋＨｚの範囲内である。
【００２８】
図４は、パルス幅変調信号のいくつかの実施例を示す波形図である。上から２番目の波形、３番目の波形及び４番目の波形は、オーディオノイズを回避するための電源供給装置１０がバーストモード（ｂｕｒｓｔ  ｍｏｄｅ）で動作される場合を示しており、長い休止時間がパルス群（ｂｕｒｓｔ  ｃｌｕｍｐ）の間に存在する。なお、パルス群が出現する周波数をバースト周波数（ｂｕｒｓｔ  ｆｒｅｑｕｅｎｃｙ）と称する。出力電圧１１６は、パルス群内のパルス数（ｐｕｌｓｅ  ｑｕａｎｔｉｔｙ）、パルス群内のパルス周波数（ｐｕｌｓｅ  ｆｒｅｑｕｅｎｃｙ）、パルス群内のパルスデューティサイクル（ｐｕｌｓｅ  ｄｕｔｙ  ｃｙｃｌｅ）、又はバースト周波数によって決定される。
【００２９】
上から１番目の波形は、オーディオノイズを回避するための電源供給装置１０が通常動作モード（つまり、オーディオノイズを回避するための電源供給装置１０は、バーストモードから離脱した）で動作される場合を示している。この時、バースト周波数が存在せず、出力電圧１１６は、パルス周波数及びパルスデューティサイクルによって決定される。
【００３０】
上から４番目の波形が対応する負荷は一番小さい。上から３番目の波形が対応する負荷は、同４番目の波形が対応する負荷より大きい。上から２番目の波形が対応する負荷は、同３番目の波形が対応する負荷より大きい。上から１番目の波形が対応する負荷は、同２番目の波形が対応する負荷より大きい。
【００３１】
一般的に、負荷が大きくなれば、バースト周波数は高くなる。バースト周波数がオーディオ周波数範囲内に入ると、本発明のオーディオノイズを回避するための電源供給装置１０は、オーディオノイズを回避するように、バーストモードから離脱されて、通常動作モードに入る。
【００３２】
具体的な実施例において、オーディオノイズを回避するための電源供給装置１０は、バーストモードに入る必要があると判定された場合（スタンバイモード又は軽負荷モード）、バースト周波数を検出する。バースト周波数がバースト周波数範囲内に入る場合、オーディオノイズを回避するための電源供給装置１０は、オーディオノイズを回避するように、通常動作モードに入るようにする。一方、バースト周波数がバースト周波数範囲内に入らない場合、オーディオノイズを回避するための電源供給装置１０は、バーストモードで操作（制御）されるようにする。
【００３３】
本発明によれば、オーディオノイズを回避するための電源供給装置１０がバーストモードであり、且つ、オーディオノイズを回避するための電源供給装置１０のバースト周波数がオーディオ周波数範囲内にある場合、オーディオノイズを回避するための電源供給装置１０をバーストモードから離脱させることにより、オーディオノイズを回避することができる。
【符号の説明】
【００３４】
１０  オーディオノイズを回避するための電源供給装置
１０２  電圧入力端
１０４  パワースイッチ回路
１０６  電圧出力端
１０８  パルス幅変調信号生成回路
１１０  バースト周波数検出回路
１１２  入力電圧
１１４  パルス幅変調信号
１１６  出力電圧
【図１】
2017010242.tif 000003
【図２】
2017010242.tif 000004
【図３】
2017010242.tif 000005
【図４】
2017010242.tif 000006
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
電源供給装置がバーストモードに入る必要があると判定された場合、前記電源供給装置のバースト周波数を検出するステップと、
前記電源供給装置の前記バースト周波数がオーディオ周波数範囲内に入る場合、オーディオノイズを回避するために、前記電源供給装置が通常動作モードに入るように制御するステップと、
前記電源供給装置の前記バースト周波数がオーディオ周波数範囲内に入らない場合、前記電源供給装置が前記バーストモードに入るように制御するステップと、
を含むことを特徴とするオーディオノイズを回避するための電源供給方法。
【請求項２】
前記オーディオ周波数範囲は、２０Ｈｚから２０ｋＨｚの範囲内であることを特徴とする請求項１に記載のオーディオノイズを回避するための電源供給方法。
【請求項３】
電源供給装置がバーストモードに入る必要があると判定された場合、前記電源供給装置のバースト周波数を検出するステップと、
前記電源供給装置の前記バースト周波数がオーディオ周波数範囲内に入るかどうかを判断するステップと、
前記電源供給装置の前記バースト周波数が前記オーディオ周波数範囲内に入る場合、オーディオノイズを回避するように、前記電源供給装置が通常動作モードに入るように制御するステップと、
前記電源供給装置の前記バースト周波数が前記オーディオ周波数範囲内に入らない場合、前記電源供給装置が前記バーストモードに入るように制御するステップと、
を含むことを特徴とするオーディオノイズを回避するための電源供給方法。
【請求項４】
前記オーディオ周波数範囲は、２０Ｈｚから２０ｋＨｚの範囲内であることを特徴とする請求項３に記載のオーディオノイズを回避するための電源供給方法。
【請求項５】
オーディオノイズを回避するための電源供給装置であって、
電圧入力端と、
前記電圧入力端に電気的に接続されるパワースイッチ回路と、
前記パワースイッチ回路に電気的に接続される電圧出力端と、
前記パワースイッチ回路に電気的に接続されるパルス幅変調信号生成回路と、
前記パワースイッチ回路及び前記パルス幅変調信号生成回路に電気的に接続されるバースト周波数検出回路と、を含み、
前記バースト周波数検出回路は、前記電源供給装置がバーストモードに入る必要があると判定された場合、前記電源供給装置のバースト周波数を検出し、
前記パルス幅変調信号生成回路は、
前記電源供給装置の前記バースト周波数がオーディオ周波数範囲内に入る場合、オーディオノイズを回避するために、前記電源供給装置が通常動作モードに入るように、パルス幅変調信号により前記パワースイッチ回路を制御し、
前記電源供給装置の前記バースト周波数がオーディオ周波数範囲内に入らない場合、前記電源供給装置が前記バーストモードに入るように、前記パルス幅変調信号により前記パワースイッチ回路を制御する
ことを特徴とするオーディオノイズを回避するための電源供給装置。
【請求項６】
入力電圧は、前記電圧入力端を通じて前記パワースイッチ回路に伝送され、
前記パルス幅変調信号生成回路が前記パルス幅変調信号を前記パワースイッチ回路に伝送することにより、前記パワースイッチ回路は、前記パルス幅変調信号により前記入力電圧を出力電圧に変換するように制御され、
前記パワースイッチ回路は、前記電圧出力端を通じて前記出力電圧を出力することを特徴とする請求項５に記載のオーディオノイズを回避するための電源供給装置。
【請求項７】
前記オーディオ周波数範囲は、２０Ｈｚから２０ｋＨｚの範囲内であることを特徴とする請求項５に記載のオーディオノイズを回避するための電源供給装置。
【手続補正２】
【補正対象書類名】明細書
【補正対象項目名】０００５
【補正方法】削除
【補正の内容】
【手続補正３】
【補正対象書類名】明細書
【補正対象項目名】０００７
【補正方法】変更
【補正の内容】
【０００７】
上記目的を達成するために、本発明のオーディオノイズを回避するための電源供給方法は、電源供給装置がバーストモードに入る必要があると判定された場合、前記電源供給装置のバースト周波数を検出するステップと、前記電源供給装置の前記バースト周波数がオーディオ周波数範囲内に入る場合、オーディオノイズを回避するために、前記電源供給装置が通常動作モードに入るように制御するステップと、前記電源供給装置の前記バースト周波数がオーディオ周波数範囲内に入らない場合、前記電源供給装置が前記バーストモードに入るように制御するステップと、を含む。
【手続補正４】
【補正対象書類名】明細書
【補正対象項目名】０００８
【補正方法】変更
【補正の内容】
【０００８】
上記他の目的を達成するために、本発明のオーディオノイズを回避するための電源供給方法は、電源供給装置がバーストモードに入る必要があると判定された場合、前記電源供給装置のバースト周波数を検出するステップと、前記電源供給装置の前記バースト周波数がオーディオ周波数範囲内に入るかどうかを判断するステップと、前記電源供給装置の前記バースト周波数が前記オーディオ周波数範囲内に入る場合、オーディオノイズを回避するように、前記電源供給装置が通常動作モードに入るように制御するステップと、前記電源供給装置の前記バースト周波数が前記オーディオ周波数範囲内に入らない場合、前記電源供給装置が前記バーストモードに入るように制御するステップと、を含む。
【手続補正５】
【補正対象書類名】明細書
【補正対象項目名】０００９
【補正方法】変更
【補正の内容】
【０００９】
上記別の目的を達成するために、本発明のオーディオノイズを回避するための電源供給装置は、電圧入力端と、前記電圧入力端に電気的に接続されるパワースイッチ回路と、前記パワースイッチ回路に電気的に接続される電圧出力端と、前記パワースイッチ回路に電気的に接続されるパルス幅変調信号生成回路と、前記パワースイッチ回路及び前記パルス幅変調信号生成回路に電気的に接続されるバースト周波数検出回路と、を含み、前記バースト周波数検出回路は、前記電源供給装置がバーストモードに入る必要があると判定された場合、前記電源供給装置のバースト周波数を検出し、前記パルス幅変調信号生成回路は、前記電源供給装置の前記バースト周波数がオーディオ周波数範囲内に入る場合、オーディオノイズを回避するために、前記電源供給装置が通常動作モードに入るように、パルス幅変調信号により前記パワースイッチ回路を制御し、前記電源供給装置の前記バースト周波数がオーディオ周波数範囲内に入らない場合、前記電源供給装置が前記バーストモードに入るように、前記パルス幅変調信号により前記パワースイッチ回路を制御する。
【手続補正６】
【補正対象書類名】明細書
【補正対象項目名】００２８
【補正方法】変更
【補正の内容】
【００２８】
図４は、パルス幅変調信号のいくつかの実施例を示す波形図である。上から２番目の波形、３番目の波形及び４番目の波形は、オーディオノイズを回避するための電源供給装置１０がバーストモード（ｂｕｒｓｔ  ｍｏｄｅ）で動作される場合を示しており、長い休止時間がバースト群（ｂｕｒｓｔ  ｃｌｕｍｐ）の間に存在する。なお、バースト群が出現する周波数をバースト周波数（ｂｕｒｓｔ  ｆｒｅｑｕｅｎｃｙ）と称する。出力電圧１１６は、バースト群内のパルス数（ｐｕｌｓｅ  ｑｕａｎｔｉｔｙ）、バースト群内のパルス周波数（ｐｕｌｓｅ  ｆｒｅｑｕｅｎｃｙ）、バースト群内のパルスデューティサイクル（ｐｕｌｓｅ  ｄｕｔｙ  ｃｙｃｌｅ）、又はバースト周波数によって決定される。
【手続補正７】
【補正対象書類名】明細書
【補正対象項目名】００３２
【補正方法】変更
【補正の内容】
【００３２】
具体的な実施例において、オーディオノイズを回避するための電源供給装置１０は、バーストモードに入る必要があると判定された場合（スタンバイモード又は軽負荷モード）、バースト周波数を検出する。バースト周波数がオーディオ周波数範囲内に入る場合、オーディオノイズを回避するための電源供給装置１０は、オーディオノイズを回避するように、通常動作モードに入るようにする。一方、バースト周波数がオーディオ周波数範囲内に入らない場合、オーディオノイズを回避するための電源供給装置１０は、バーストモードで操作（制御）されるようにする。